(57)【要約】【課題】消費電力やサイズを増加させることなく、明るい場所でも表示画面の視認性を向上させることができるカメラ機能付き携帯電話機の提供。【解決手段】折りたたみ式のカメラ機能付き携帯電話機の開閉状態を監視する開閉検出部１２と、開閉検出部１２の開状態の検出を受けて起動するカメラ部５と、カメラ部５により取り込まれた撮像データを利用して照度を検知する照度検知部１１と、表示画面に表示される文字のサイズを切り替える文字サイズ切替部９と、文字の太さを切り替える文字太さ切替部１０とを少なくとも備え、照度検知部１１により検知された外光照度が予め定められた基準値以上の場合に、文字入力画面又は文字参照画面に表示される文字のサイズを大きくしたり、文字を太くするなどの制御が行われるため、明るい場所でも表示部に表示される文字の視認性を確実に向上させることができる。【選択図】図２
2006191387.tif 000002
【特許請求の範囲】
【請求項１】
カメラ機能を備える携帯電話機において、
前記カメラ機能を利用して周囲の照度を検知する照度検知手段と、
検知された前記照度に基づいて、表示手段に表示される文字の形態を、デフォルトとして設定された第１の形態又は前記第１の形態とは異なる第２の形態のいずれかに設定する切替手段と、を少なくとも備えることを特徴とする携帯電話機。
【請求項２】
前記切替手段は、
前記文字のサイズを、デフォルトとして設定された第１のサイズ又は前記第１のサイズよりも大きい第２のサイズのいずれかに設定する手段、又は、
前記文字の太さを、デフォルトとして設定された第１の太さ又は前記第１の太さよりも太い第２の太さのいずれかに設定する手段、の少なくとも一方を含むことを特徴とする請求項１記載の携帯電話機。
【請求項３】
前記手段では、検知された前記照度が予め定められた基準値以上の場合に、前記文字のサイズ又は太さを、前記第２のサイズ又は前記第２の太さに設定することを特徴とする請求項２記載の携帯電話機。
【請求項４】
前記手段の少なくとも一方は、操作手段の操作により手動で切り替え可能に構成されることを特徴とする請求項２又は３に記載の携帯電話機。
【請求項５】
カメラ機能段を備える携帯電話機において、
前記カメラ機能を利用して周囲の照度を検知する照度検知手段と、
検知された前記照度に基づいて、表示手段に表示される画面の表示色を、デフォルトとして設定された第１の表示色又は前記第１の表示色とは異なる第２の表示色のいずれかに設定する切替手段と、を少なくとも備えることを特徴とする携帯電話機。
【請求項６】
前記切替手段は、
前記表示手段に表示される文字の色を、デフォルトとして設定された第１の文字色又は前記第１の文字色とは異なる第２の文字色のいずれかに設定する手段、又は、
前記表示手段の背景色を、デフォルトとして設定された第１の背景色又は前記第１の背景色とは異なる第２の背景色のいずれかに設定する手段、の少なくとも一方を含むことを特徴とする請求項５記載の携帯電話機。
【請求項７】
前記手段では、検知された前記照度が予め定められた基準値以上の場合に、前記文字色又は背景色を、前記第２の文字色又は前記第２の背景色に設定することを特徴とする請求項６記載の携帯電話機。
【請求項８】
前記手段の少なくとも一方は、操作手段の操作により手動で切り替え可能に構成されることを特徴とする請求項６又は７に記載の携帯電話機。
【請求項９】
前記照度検知手段は、前記カメラ機能を用いて取得された撮像データに基づいて、前記照度を検知することを特徴とする請求項１乃至８のいずれか一に記載の携帯電話機。
【請求項１０】
折りたたみ可能な前記携帯電話機の開閉状態を検出する開閉検出手段を備え、
前記開閉検出手段により前記携帯電話機が開状態と判断された場合に、前記カメラ機能が起動して前記撮像データを取得するように制御されることを特徴とする請求項９記載の携帯電話機。
【請求項１１】
前記照度検知手段により前記照度が検知された後に、前記カメラ機能が停止するように制御されることを特徴とする請求項９又は１０に記載の携帯電話機。
【発明の詳細な説明】
【技術分野】
【０００１】
本発明は携帯電話機に関し、特に、カメラ機能付き携帯電話機における表示の制御機能に関する。
【背景技術】
【０００２】
従来の携帯電話機では、外光照度が大きい明るい場所で表示部に表示された文字を見たり文字入力作業を行う場合、画面が白っぽくなるために文字が見づらくなってしまうという問題があった。そこで、そのような不具合を防ぐために、携帯電話機に照度センサを設け、図６に示す手順に従って外光照度を検知し、外光照度に応じて液晶表示装置のバックライトの輝度を上げるなどの対策が取られていた。
【０００３】
また、下記特許文献１には、文字や画像などの表示情報を表示する表示手段と表示手段のバックライトとして作用する照射手段と撮像手段とを備えたカメラ付き携帯電話機に照射レベル調整手段を設け、この照射レベル調整手段により、バックライトの照射レベルを周囲の明るさに応じて自動的に調整する技術が開示されている。
【０００４】
【特許文献１】特開２００２−３４４５９８号公報（第３−７頁、第１図）
【発明の開示】
【発明が解決しようとする課題】
【０００５】
ここで、携帯電話機を使用する環境は様々であり、周囲の照度は大きく変化することから、バックライトの輝度を上げて視認性を向上させる方法ではバックライトに供給する電力も大きく変化させなければならず、その結果、消費電力が増加して通話時間や待ち受け時間が短くなってしまうという問題がある。また、バックライトに供給する電力を大きく変化させるためには電源系の回路構成が複雑になってしまうという問題もある。
【０００６】
更に、周囲の照度を検知するための照度センサを別途設置する場合には、携帯電話機のサイズが大きくなってしまい、小型化が求められる携帯電話機にとっては重大な問題となる。
【０００７】
本発明は、上記問題点に鑑みてなされたものであって、その主たる目的は、消費電力やサイズを増加させることなく、明るい場所でも表示画面の視認性を向上させることができるカメラ機能付き携帯電話機を提供することにある。
【課題を解決するための手段】
【０００８】
上記目的を達成するため、本発明の携帯電話機は、カメラ機能を備える携帯電話機において、前記カメラ機能を利用して周囲の照度を検知する照度検知手段と、検知された前記照度に基づいて、表示手段に表示される文字の形態を、デフォルトとして設定された第１の形態又は前記第１の形態とは異なる第２の形態のいずれかに設定する切替手段と、を少なくとも備えるものである。
【０００９】
本発明においては、前記切替手段は、前記文字のサイズを、デフォルトとして設定された第１のサイズ又は前記第１のサイズよりも大きい第２のサイズのいずれかに設定する手段、又は、前記文字の太さを、デフォルトとして設定された第１の太さ又は前記第１の太さよりも太い第２の太さのいずれかに設定する手段、の少なくとも一方を含む構成とすることができ、前記手段では、検知された前記照度が予め定められた基準値以上の場合に、前記文字のサイズ又は太さを、前記第２のサイズ又は前記第２の太さに設定することが好ましい。
【００１０】
また、本発明の携帯電話機は、カメラ機能を備える携帯電話機において、前記カメラ機能を利用して周囲の照度を検知する照度検知手段と、検知された前記照度に基づいて、表示手段に表示される画面の表示色を、デフォルトとして設定された第１の表示色又は前記第１の表示色とは異なる第２の表示色のいずれかに設定する切替手段と、を少なくとも備えるものである。
【００１１】
本発明においては、前記切替手段は、前記表示手段に表示される文字の色を、デフォルトとして設定された第１の文字色又は前記第１の文字色とは異なる第２の文字色のいずれかに設定する手段、又は、前記表示手段の背景色を、デフォルトとして設定された第１の背景色又は前記第１の背景色とは異なる第２の背景色のいずれかに設定する手段、の少なくとも一方を含む構成とすることができ、前記手段では、検知された前記照度が予め定められた基準値以上の場合に、前記文字色又は背景色を、前記第２の文字色又は前記第２の背景色に設定することが好ましい。
【００１２】
また、本発明においては、前記手段の少なくとも一方は、操作手段の操作により手動で切り替え可能に構成されるようにしてもよい。
【００１３】
また、本発明においては、前記照度検知手段は、前記カメラ機能を用いて取得された撮像データに基づいて、前記照度を検知する構成とすることができる。
【００１４】
また、本発明においては、折りたたみ可能な前記携帯電話機の開閉状態を検出する開閉検出手段を備え、前記開閉検出手段により前記携帯電話機が開状態と判断された場合に、前記カメラ機能が起動して前記撮像データを取得するように制御される構成とすることができる。
【００１５】
また、本発明においては、前記照度検知手段により前記照度が検知された後に、前記カメラ機能が停止するように制御される構成とすることもできる。
【００１６】
このように、本発明は、携帯電話機に予め設けられたカメラ機能を用いて取得された撮像データに基づいて周囲の照度を検知し、周囲の照度が予め定められた基準値以上の場合に、文字のサイズを大きくしたり、文字の太さを太くしたり、背景色や文字色を変えるなどの制御が行われるため、消費電力やサイズを増加させることなく、明るい場所でも表示画面の視認性を確実に向上させることができる。
【発明の効果】
【００１７】
本発明のカメラ付き携帯電話機によれば、外光照度が大きい明るい場所でも、消費電力を増加させることなく、表示画面に表示された文字の視認性を向上させることができる。その理由は、周囲の照度に応じてバックライトの輝度を変化させるのではなく、文字のサイズや太さなどの形態、背景色や文字色などの表示色を変化させるからである。
【００１８】
また、本発明のカメラ付き携帯電話機によれば、サイズの増加を防ぐことができる。その理由は、周囲の照度を検知するために照度センサを新たに設置するのではなく、携帯電話機に予め設けられたカメラ機能を用いて取得される撮像データに基づいて周囲の照度を検知するからである。
【発明を実施するための最良の形態】
【００１９】
本発明は、その好ましい一実施の形態において、折りたたみ式のカメラ機能付き携帯電話機の開閉状態を監視する開閉検出部と、開閉検出部の開状態の検出を受けて起動するカメラ部と、カメラ部により取り込まれた撮像データを利用して照度を検知する照度検知部と、表示画面に表示される文字のサイズを切り替える文字サイズ切替部、文字の太さを切り替える文字太さ切替部、背景色を切り替える背景色切替部、文字色を切り替える文字色切替部などの文字の形態又は表示色の切り替えを行う切替手段とを少なくとも備えるものであり、照度検知部により検知された外光照度が予め定められた基準値以上の場合に、文字入力画面又は文字参照画面に表示される文字のサイズを大きくしたり、文字を太くしたり、背景色や文字色を変えるなどの制御が行われるため、明るい場所でも表示部に表示される文字の視認性を確実に向上させることができる。
【実施例１】
【００２０】
上記した本発明の実施の形態についてさらに詳細に説明すべく、本発明の第１の実施例に係るカメラ機能付き携帯電話機について、図１乃至図３を参照して説明する。図１は、本発明の第１の実施例に係るカメラ機能付き携帯電話機の外観構成を模式的に示す平面図であり、図２は、該カメラ機能付き携帯電話機の主要な構成を示すブロック図である。また、図３は、該カメラ機能付き携帯電話機の動作を示すフローチャート図である。
【００２１】
図１に示すように、本実施例のカメラ機能携帯電話機１は、主表示部４ａ及び副表示部４ｂ、カメラ部５などが配置される第１の筐体２と、数字キーや方向キー、特殊機能キーなどの操作部６が配置される第２の筐体３とで構成され、第１の筐体２と第２の筐体３とは蝶番によって開閉可能に連結されている。
【００２２】
また、図２に示すように、本実施例のカメラ機能付き携帯電話機１は、電話の交信やメールの送受信、ｗｅｂ画面の受信等を行う無線通信部７と、文字や画像を表示する液晶ディスプレイや有機ＥＬ（Electro Luminescence）ディスプレイなどの表示部４と、表示部４に表示する文字の入力や各種機能の操作を行う操作部６と、カメラ機能付き携帯電話機１の開閉状態を監視する開閉検出部１２と、開閉検出部１２の開状態の検出を受けて起動するカメラ部５と、照度の基準値や文字サイズ、文字太さなどの各種情報を記憶する記憶部１３と、上記各手段の制御を行う制御部８とを備え、制御部８には、カメラ部５により取り込まれた撮像データを利用して照度を検知する照度検知部１１と、文字サイズの切り替えを行う文字サイズ切替部９と、文字の太さの切り替えを行う文字太さ切替部１０とを備えている。
【００２３】
そして、照度検知部１１により検知した外光照度が予め定められた基準値以上の場合は、文字サイズ切替部９では大きいサイズで文字を表示し、また、文字太さ切替部１０では太い文字を表示し、外光照度が基準値よりも小さい場合は、文字サイズ切替部９及び文字太さ切替部１０は文字の形態の切り替えを行わず、デフォルトとして設定されたサイズ又は太さで文字を表示する制御を行う。
【００２４】
なお、ここでは照度検知部１１で検知した外光照度に基づいて文字のサイズや太さが自動的に切り替わる構成としているが、これらの手段は操作部６のキー操作によって手動で切り替えることができるようにしてもよい。また、ここでは文字のサイズと文字の太さの双方を切り替える構成としているが、いずれか一方のみを切り替える構成としてもよい。
【００２５】
また、上記基準値の具体的な数値は特に限定されず、屋外の標準的な照度などの予め定められた照度としてもよいし、ユーザが操作部６を操作して設定した照度としてもよい。また、外光照度が基準値以上の場合に表示される文字のサイズ（第２のサイズ）は、デフォルトとして設定されたサイズ（第１のサイズ）よりも大きければよく、予め定められたサイズとしてもよいし、ユーザが任意に設定したサイズとしてもよい。同様に、外光照度が基準値以上の場合に表示される文字の太さ（第２の太さ）も、デフォルトとして設定された太さ（第１の太さ）よりも太ければよく、予め定められた太さとしてもよいし、ユーザが任意に設定した太さとしてもよい。さらに、文字のサイズの拡大率や太さの変化率は一定としてもよいし、外光照度に応じて変化させてもよい。
【００２６】
次に、上記構成のカメラ機能付き携帯電話機１の動作について、図３のフローチャート図を参照して説明する。
【００２７】
まず、ステップＳ１０１で、照度による文字形態の自動切り替え機能がＯＮに設定されている場合は、ステップＳ１０２で、開閉検出部１２は、カメラ機能付き携帯電話機１の開閉状態を監視し、開状態を検出したら、ステップＳ１０３で、カメラ部５を起動させ撮像データを取得させる。なお、ここでは、操作性を向上させるために開閉検出部１２が開状態を検出したらカメラ部５が自動的に起動する構成としているが、カメラ部５を起動させるタイミングは上記構成に限定されず、ユーザが操作部６を操作して手動でカメラ部５を起動させるようにしてもよい。
【００２８】
次に、ステップＳ１０４で、照度検知部１１は、カメラ部５で取得した撮像データに基づいて照度を検知（例えば、撮像素子の出力電圧に応じて照度を特定）した後、ステップＳ１０５で、カメラ部５の機能を停止させる。なお、ここでは、操作性を向上させるために照度検知部１１が照度を検知したらカメラ部５が自動的に停止する構成としているが、カメラ部５を停止させるタイミングも上記構成に限定されず、ユーザが操作部６を操作して手動でカメラ部５を停止させるようにしてもよい。また、ここでは撮像データに基づいて照度を検知しているが、例えば、カメラ部５で露光時間やゲインなどの情報が生成される場合には、これらの情報に基づいて照度を検知してもよい。
【００２９】
次に、ステップＳ１０６で、照度検知部１１で検知した照度と記憶手段１３に予め記憶された基準値とを比較し、検知した照度が基準値以上であれば、ステップＳ１０７で、文字サイズ切替部９は文字サイズを拡大したり、文字太さ切替部１０は文字の太さを太くするなどの形態の切り替えを行う。一方、検知した照度が基準値より小さければ、ステップＳ１０８で、文字のサイズ及び太さをデフォルトで設定されたままとする。そして、ステップＳ１０９で、設定された形態で文字を入力したり、無線通信部７で受信した電子メールを設定された形態で表示するなどの各種作業を実行し、ステップＳ１０１に戻って同様の処理を繰り返す。
【００３０】
また、ステップＳ１０１で、照度による文字形態の自動切り替え機能がＯＦＦに設定されている場合は、ステップＳ１１０で、文字サイズ及び太さを切り替える設定になっているかを判断し、切り替える設定になっている場合は、ステップＳ１０７で、上記と同様に文字サイズ切替部９は文字サイズを拡大したり、文字太さ切替部１０は文字の太さを太くし、切り替える設定になっていない場合は、ステップＳ１０８で、文字サイズ及び太さをデフォルトで設定されたままとして、ステップＳ１０９で、文字の入力や表示などの各種作業を実行する。
【００３１】
このように、本実施例のカメラ機能付き携帯電話機１によれば、カメラ機能を用いて取得した撮像データに基づいて検知した照度と予め定められた基準値とを比較し、検知した照度が基準値以上の場合に、文字サイズ切替部９や文字太さ切替部１０により、サイズが大きい又は太い文字が表示部４に表示されるため、明るい場所であっても表示部４に表示される文字の視認性を確実に向上させることができる。
【実施例２】
【００３２】
次に、本発明の第２の実施例に係るカメラ機能付き携帯電話機について、図４及び図５を参照して説明する。図４は、第２の実施例に係るカメラ機能付き携帯電話機の主要な構成を示すブロック図であり、図５は該カメラ機能付き携帯電話機の動作を示すフローチャート図である。
【００３３】
前記した第１の実施例では、照度検知部１１で検知した照度が予め定められた基準値以上の場合に、表示部４に表示される文字を大きく又は太くするなど、文字の形態を変化させたが、本実施例では、文字の形態を変更する構成に代えて、又は、文字の形態を変更する構成に加えて、表示部４の画面の背景色や文字色などの表示色を変化させる。
【００３４】
具体的には、図４に示すように、本実施例のカメラ機能付き携帯電話機１は、電話の交信やメールの送受信、ｗｅｂ画面の受信等を行う無線通信部７と、文字や画像を表示する表示部４と、表示部４に表示する文字の入力や各種機能の操作を行う操作部６と、カメラ機能付き携帯電話機１の開閉状態を監視する開閉検出部１２と、開閉検出部１２の開状態の検出を受けて起動するカメラ部５と、照度の基準値や背景色、文字色などの各種情報を記憶する記憶部１３と、上記各手段の制御を行う制御部８とを備え、制御部８には、カメラ部５により取り込まれた撮像データを利用して照度を検知する照度検知部１１と、表示部４の背景色の切り替えを行う背景色切替部１４と、文字色の切り替えを行う文字色切替部１５とを備えている。
【００３５】
そして、照度検知部１１により検知した外光照度が予め定められた基準値以上の場合は、背景色切替部１４や文字色切替部１５は背景色や文字色の色を変えたり、色彩を濃くしたり、背景色と文字色のコントラストを大きくしたり、白黒を反転させるなどして外光により白っぽくなった画面や文字を見やすくし、外光照度が基準値よりも小さい場合は、背景色切替部１４及び文字色切替部１５は背景や文字の色の切替えを行わず、デフォルトで設定された表示色で表示する制御を行う。
【００３６】
なお、ここでは照度検知部１１で検知した外光照度に基づいて背景色や文字色が自動的に切り替わる構成としているが、これらの手段は操作部６のキー操作によって手動で切り替えることができるようにしてもよい。また、背景色と文字色の双方を切り替えてもよいし、いずれか一方のみを切り替えてもよい。また、第１の実施例と同様に、照度の基準値は特に限定されず、予め設定された照度としてもよいし、ユーザが設定した照度としてもよい。また、外光照度が基準値以上の場合の背景色及び文字色は、デフォルトとして設定された色と異なっていればよく、特定の色としてもよいし、外光照度に応じて色を変えてもよい。
【００３７】
次に、上記構成のカメラ機能付き携帯電話機１の動作について、図５のフローチャート図を参照して説明する。
【００３８】
まず、ステップＳ２０１で、開閉検出部１２は、カメラ機能付き携帯電話機１の開閉状態を監視し、開状態を検出したら、ステップＳ２０２で、カメラ部５を起動させ撮像データを取得させる。なお、本実施例においても、カメラ部５を起動させるタイミングは上記構成に限定されず、ユーザが操作部６を操作して手動でカメラ部５を起動させるようにしてもよい。
【００３９】
次に、ステップＳ２０３で、照度検知部１１は、カメラ部５で取得した撮像データに基づいて照度を検知した後、ステップＳ２０４で、カメラ部５の機能を停止させる。なお、本実施例においても、カメラ部５を停止させるタイミングも上記構成に限定されず、ユーザが操作部６を操作して手動でカメラ部５を停止させるようにしてもよいし、カメラ部５で露光時間やゲインなどの情報が生成される場合には、これらの情報に基づいて照度を検知してもよい。
【００４０】
次に、ステップＳ２０５で、照度検知部１１で検知した照度と記憶手段１３に予め記憶された基準値とを比較し、検知した照度が基準値以上であれば、ステップＳ２０６で、背景色切替部１４や文字色切替部１４は背景や文字の色を変えたり、色彩を濃くしたり、背景と文字のコントラストを大きくしたり、白黒を反転させるなどの表示色の切り替えを行い、検知した照度が基準値より小さければ、ステップＳ２０７で、背景色及び文字色をデフォルトで設定されたままとし、ステップＳ２０８で、設定された表示色で文字を入力したり、無線通信部７で受信した電子メールを設定された表示色で表示するなどの各種作業を実行し、ステップＳ２０１に戻って同様の処理を繰り返す。
【００４１】
このように、本実施例のカメラ機能付き携帯電話機１によれば、カメラ機能を用いて取得した撮像データに基づいて検知した照度と予め定められた基準値とを比較し、検知した照度が基準値以上の場合に、背景色切替部１４や文字色切替部１５により、背景又は文字の色の種類や色彩、コントラストなどが変更されるため、明るい場所であっても表示部４に表示される文字の視認性を確実に向上させることができる。
【００４２】
なお、第１の実施例では、カメラ機能付き携帯電話機１に文字サイズ切替部９及び文字太さ切替部１０を設け、第２の実施例では、カメラ機能付き携帯電話機１に背景色切替部１４及び文字色切替部１５を設けたが、文字サイズ切替部９と文字太さ切替部１０と背景色切替部１４と文字色切替部１５の４つの手段の中から選択される１以上の手段を備える構成であればよい。
【００４３】
また、上記各実施例では文字のサイズ、太さ、背景色、文字色を変化させる例を示したが、本発明は上記実施例に限定されるものではなく、照度に応じて文字の間隔（字間や行間）を広げたり、字体を変えるなどとすることもできる。また、上記各実施例では、折りたたみ式のカメラ機能付き携帯電話機１を例にして説明したが、カメラ部５や表示部４、操作部６が１つの筐体に形成されたストレート式の携帯電話機に対しても同様に適用することができる。
【産業上の利用可能性】
【００４４】
本発明は、カメラ機能と表示手段とを備えた携帯機器であればよく、デジタルカメラ、カメラ機能を備えた携帯端末機器やゲーム機などに対しても同様に適用することができる。
【図面の簡単な説明】
【００４５】
【図１】本発明の第１の実施例に係るカメラ機能付き携帯電話機の外観構成を示す平面図である。
【図２】本発明の第１の実施例に係るカメラ機能付き携帯電話機の主な構成を示すブロック図である。
【図３】本発明の第１の実施例に係るカメラ機能付き携帯電話機の動作を示すフローチャート図である。
【図４】本発明の第２の実施例に係るカメラ機能付き携帯電話機の主な構成を示すブロック図である。
【図５】本発明の第２の実施例に係るカメラ機能付き携帯電話機の動作を示すフローチャート図である。
【図６】従来の携帯電話機の動作を示すフローチャート図である。
【符号の説明】
【００４６】
１  カメラ機能付き携帯電話機
２  第１の筐体
３  第２の筐体
４  表示部
４ａ  主表示部
４ｂ  副表示部
５  カメラ部
６  操作部
７  無線通信部
８  制御部
９  文字サイズ切替部
１０  文字太さ切替部
１１  照度検知部
１２  開閉検出部
１３  記憶部
１４  背景色切替部
１５  文字色切替部
【図１】
2006191387.tif 000003
【図２】
2006191387.tif 000004
【図３】
2006191387.tif 000005
【図４】
2006191387.tif 000006
【図５】
2006191387.tif 000007
【図６】
2006191387.tif 000008